(57)【要約】【課題】ノズル部の先端を切り取りやすく、かつ注出口を閉塞させず、さらに注出口から内容物を速やかに流出させることができるように改良された注出口付き袋を提供することを目的とする。【解決手段】その外周をヒートシールしてなるノズル部３の先端を、切り取り線８に沿って切り取り、注出口９を形成する注出口付き袋１であって、切り取り線８の非シール領域における部分８ｂは、ノズル部３の先端から遠ざかる方向に湾曲する形状にされている。注出口９の幅をｘとし、湾曲の深さをｙとしたとき、注出口９の幅ｘと湾曲の深さｙの値は、下記式（１）を満たすか、あるいは、下記式（１）のｘ−ｙ平面のグラフ図において、点（ｘ，ｙ）の軌跡の線を境界線にして、座標の原点（０，０）とは反対側の領域内にある任意の座標点（ｘ，ｙ）の群から選ばれていることを特徴とする。【数１】2018030623.tif 000008【選択図】図１
2018030623.tif 000002
【特許請求の範囲】
【請求項１】
その外周をヒートシールしてなるノズル部の先端を、切り取り線に沿って切り取り、注出口を形成する注出口付き袋であって、
前記切り取り線の非シール領域における部分は、前記ノズル部の先端から遠ざかる方向に湾曲する形状にされており、
前記注出口の幅をｘとし、前記注出口の始点と終点とを結ぶ直線から前記湾曲する部分の極大点までの距離である湾曲の深さをｙとしたとき、前記注出口の幅ｘと前記湾曲の深さｙの値は、
下記式（１）を満たすか、あるいは、
下記式（１）のｘ−ｙ平面のグラフ図において、点（ｘ，ｙ）の軌跡の線を境界線にして、座標の原点（０，０）とは反対側の領域内にある任意の座標点（ｘ，ｙ）の群から選ばれていることを特徴とする、注出口付き袋。
【数１】
2018030623.tif 000007
【請求項２】
前記注出口の幅ｘは、１６ｍｍ以上である、請求項１に記載の注出口付き袋。
【請求項３】
前記湾曲の深さｙの値は、１０ｍｍ以下である、請求項１又は２に記載の注出口付き袋。
【請求項４】
前記切り取り線の、シール領域内に延びた部分は、前記注出口の始点と終点とを結ぶ直線の延長線の上に形成されている、請求項１に記載の注出口付き袋。
【請求項５】
当該注出口付き袋を構成する前後２面の壁面フィルムは、ナイロン／接着剤層／ＬＬシール層、ＰＥＴ／ナイロン／接着剤層／ＬＬシール層、ナイロン／蒸着ＰＥＴフィルム／ＬＬシール層及びＰＥＴ／アルミ箔／ナイロン／ＬＬシール層からなる群より選ばれる積層フィルムで形成される請求項１に記載の注出口付き袋。
【発明の詳細な説明】
【技術分野】
【０００１】
本発明は一般に注出口付き袋に関するものであり、より特定的には、他の容器への詰め替え時に、注出口から内容物を速やかに流出させることができるように改良された注出口付き袋に関する。
【背景技術】
【０００２】
従来、各種液体化粧品、クレンザー、洗剤、柔軟剤、エマルジョン糊、各種飲料、醤油、ソース、麺つゆなどの液体調味料のような液状物や、粉乳、ココアなどの粉体は、主に、プラスチックボトル、ガラス瓶、金属缶などの保形性のある容器に充填され、流通・使用に供され、使用後の容器は廃棄処分にされていた。しかし、そのため資源が消費され、商品に占める容器コストの割合も無視できないものがあった。そこで、廃棄物処理の問題も考慮し、これらの容器は、使用後、分別処理され、回収、リサイクルすることも進められている。このような見地から、使用後のボトルなどの容器に同一内容物を補充するために用いる詰め替えパウチが流通している。
【０００３】
従来の詰め替えパウチ１の基本的構成は、図８（Ａ）に示すように、前後２面の壁面フィルム１ａ、１ｂを備え、これらの側部と上部と下部をシールしてなる。図中、斜めのハッチングで示した部分がシール領域２である。詰め替えパウチ１の上辺の肩部に、斜め上方向に延びる、その外周をヒートシールしてなるノズル部３が設けられている。詰め替えパウチ１は、壁面フィルム１ａ、１ｂの下部の間に、底面フィルム４を内側に向けて折り返し、底面フィルム折り返し部５まで挿入してなるガゼット６を有する。底面フィルム４を広げると、図８（Ｂ）に示すように自立する。
【０００４】
内容物を他の容器に移し替える際には、詰め替えパウチ１の指つまみ部７を指でつまんで、切り取り線８を切り裂いて注出口９を開封する。次に、ノズル部３の注出口９を、たとえばネジ口容器のネジ口にあてがって、そのまま傾けて、内容物を移動させて移し替える。
【０００５】
ところで、従来の詰め替えパウチ１では、ノズル部３の注出口９が直線状に形成されていたので、少し粘度の高い内容物１１を移し替える場合には、ノズル部３が膨らむと同時に、注出口９を閉塞させる方向に内容物１１の表面張力が作用してノズル部３の内面を密着させ、内容物１１の取り出しを困難にするという問題があった。特許文献１は、これを防ぐために、ノズル部３の注出口９の形状を中央に向かって凸となるＶ字状にする、ある
いはＶ字の角に丸みを持たせた湾曲形状にすることを提案している。
【先行技術文献】
【特許文献】
【０００６】
【特許文献１】特開２００６−８９０９８号
【発明の概要】
【発明が解決しようとする課題】
【０００７】
しかし、特許文献１に提案された、単にノズル部の注出口の形状を中央に向かって凸となるＶ字状(角に丸みを持たせることも含む)に形成する方法では、注出口を形成するための切り取り線が切れにくい、また切り取り線を切り裂く際に袋本体まで中央に向かって切り裂かれてしまう、さらに内容物の流れ出す流速が遅いなどの課題があった。
【０００８】
本発明は、上記のような課題を解決するためになされたもので、ノズル部の先端を切り取りやすく、かつ注出口を閉塞させず、さらに注出口から内容物を速やかに流出させることができるように改良された注出口付き袋を提供することを目的とする。
【課題を解決するための手段】
【０００９】
本発明は、その外周をヒートシールしてなるノズル部の先端を、切り取り線に沿って切り取り、注出口を形成する注出口付き袋に係る。上記切り取り線の非シール領域における部分は、上記ノズル部の先端から遠ざかる方向に湾曲する形状にされている。上記注出口の幅をｘとし、上記注出口の始点と終点とを結ぶ直線から上記湾曲する部分の極大点までの距離である湾曲の深さをｙとしたとき、上記注出口の幅ｘと上記湾曲の深さｙの値は、下記式（１）を満たすか、あるいは、下記式（１）のｘ−ｙ平面のグラフ図において、点（ｘ，ｙ）の軌跡の線を境界線にして、座標の原点（０，０）とは反対側の領域内にある任意の座標点（ｘ，ｙ）の群から選ばれていることを特徴とする。
【数１】
2018030623.tif 000003
【００１０】
上記注出口の幅ｘと上記湾曲の深さｙの値が、上記式（１）を満たすか、あるいは、上記式（１）のｘ−ｙ平面のグラフ図において、点（ｘ，ｙ）の軌跡の線を境界線にして、座標の原点（０，０）とは反対側の領域内にある任意の座標点（ｘ，ｙ）の群から選ばれていると、内容物の流れ出す十分な流速（ｇ/ｓ）を確保できることが見出された。
【００１１】
上記注出口の幅ｘは、１６ｍｍ以上であるのが好ましい。１６ｍｍより小さいと、内容物の移し替え時に内容物が流れにくくなる。より好ましくは、上記注出口の幅ｘは、１６ｍｍ以上２５ｍｍ以下である。
【００１２】
前記湾曲の深さｙの値は、１０ｍｍ以下であるのが好ましい。１０ｍｍより大きくなると、切り口のカット性に影響が出るので、好ましくない。
【００１３】
上記切り取り線の、シール領域内に延びた部分は、上記注出口の始点と終点とを結ぶ直線の延長線の上に形成されているのが好ましい。
【００１４】
注出口付き袋を構成するフィルムは、主にプラスチックを主体とする積層フィルムを用いるが、特に限定はされず、液状などの内容物の包装用袋に用いられている公知の積層フィルムは、いずれも使用することができ、充填する内容物の種類や充填後の加熱処理の有無など、使用条件に応じて適する材料を自由に選択して使用することができる。
【００１５】
本発明の好ましい実施態様によれば、上記２面の壁面フィルムは、ナイロン／接着剤層／ＬＬ（linear low density polyethylene）シール層、ＰＥＴ（ポリエチレンテレフタレート）／ナイロン／接着剤層／ＬＬシール層、ナイロン／蒸着ＰＥＴフィルム／ＬＬシール層及びＰＥＴ／アルミ箔／ナイロン／ＬＬシール層からなる群より選ばれる積層フィルムで形成される。蒸着ＰＥＴフィルムとは、アルミニウムを高真空状態で気化させ、その蒸気をＰＥＴフィルム表面に付着させたものをいう。
【００１６】
上記袋は、自立性を有する形式に形成されていてもよい。例えば、スタンディングパウチや、フラットボトムタイプのガゼット袋が例示される。
【発明の効果】
【００１７】
本発明に係る注出口付き袋によれば、ノズル部の先端を切り取りやすく、かつ注出口を閉塞させず、さらに注出口から内容物を速やかに流出させることができる。
【図面の簡単な説明】
【００１８】
【図１】（Ａ）は本発明の実施の形態１に係る注出口付き袋の正面図であり、（Ｂ）は、注出口部分の拡大図である。
【図２】（Ａ）は本発明の作用効果を説明する第１の図であり、（Ｂ）は本発明の作用効果を説明する第２の図である。
【図３】本発明の作用効果を説明する第３の図である。
【図４】（Ａ）は、表１のデータをｘ−ｙ平面にプロットした図であり、（Ｂ）は、良好とＮＧとの境界線上にある、良好と判断された複数のポイントを抜き出して折れ線で結んだ線（実線）と、近似式で表される曲線のグラフ（点線）とを重ね合わせた図である。
【図５】（Ａ）〜（Ｆ）は、本発明の実施の形態２に係る注出口付き袋の、注出口部分の拡大図である。
【図６】実施の形態３に係る注出口付き袋の、注出口部分の拡大図である。
【図７】実施の形態４に係る注出口付き袋の正面図である。
【図８】（Ａ）は、従来の注出口付き袋の正面図であり、（Ｂ）はガゼット部を開いて自立させた時の正面図である。
【発明を実施するための形態】
【００１９】
ノズル部の先端を切り取りやすく、かつ注出口を閉塞させず、さらに注出口から内容物を速やかに流出させることができるように改良された注出口付き袋を得るという目的を、注出口の幅ｘと湾曲部分の深さｙを適切に選ぶことによって実現した。
【００２０】
（実施の形態１）
【００２１】
図１（Ａ）を参照して、注出口付き袋１である例えば詰め替えパウチは、前後２面の壁面フィルム１ａ、１ｂを備え、これらの側部と上部と下部をシールしてなる。図中、斜めのハッチングで示した部分がシール領域２である。注出口付き袋１の上辺の肩部に、斜め上方向に延びる、その外周をヒートシールしてなるノズル部３が設けられている。ノズル部３の先端が、切り取り線８に沿って切り取られ、注出口９が形成される。切り取り線８の非シール領域における部分８ｂは、ノズル部３の先端から遠ざかる方向に湾曲する形状にされている。壁面フィルム１ａ、１ｂの下部の間に、底面フィルム４を内側に向けて折り返し、底面フィルム折り返し部５まで挿入してなるガゼット６を有する。
【００２２】
図１（Ｂ）に示す拡大図を参照して、注出口９の幅をｘとし、湾曲の深さ（注出口９の始点Ｓと終点Ｅとを結ぶ直線１５から湾曲する部分の極大点までの距離）をｙとしたとき、注出口の幅ｘと湾曲の深さｙの値は、下記式（１）を満たすか、あるいは、後述するように、下記式（１）のｘ−ｙ平面のグラフ図において、点（ｘ，ｙ）の軌跡の線を境界線にして、座標の原点（０，０）とは反対側の領域内にある任意の座標点（ｘ，ｙ）の群から選ばれている。
【数１】
2018030623.tif 000004
【００２３】
このように構成することによって、内容物が速やかに流れ出すために必要な流速を確保できる。これについては、実施例で詳細に説明する。
【００２４】
切り取り線８ａ，８ｂは、表側及び裏側に同様に形成されている。
【００２５】
切り取り線８ａ，８ｂは、例えば、光学反射式のレーザーマーカーを使用して、フィルムの表面に溝加工を施すことで形成される。
【００２６】
２面の壁面フィルム１ａ、１ｂの樹脂構成は、ナイロン（１５μｍ）／接着剤層／ＬＬシール層（１２０μｍ）、ＰＥＴ（１２μｍ）／ナイロン（１５μｍ）／接着剤層／ＬＬシール層（１２０μｍ）、ナイロン（１５μｍ）／蒸着ＰＥＴフィルム（１２μｍ）／ＬＬシール層（１２０μｍ）又はＰＥＴ（１２μｍ）／アルミ箔（７μｍ）／ナイロン（１５μｍ）／ＬＬシール層（１００μｍ）である。
【００２７】
本発明の実施の形態１に係る注出口付き袋をさらに詳細に説明する。図１（Ａ）、（Ｂ）に示すように、切り取り線８のヒートシールされた領域２内に延びた部分（以下、切り取り線シール領域部分という）８ａは、注出口９の始点Ｓと終点Ｅとを結ぶ直線１５の延長線上に形成されている。切り取り線８の非シール領域における部分（以下、切り取り線非シール領域部分という）８ｂは、ノズル部３の先端から遠ざかる方向、すなわちノズルの基部１３側に凸となる湾曲形状にされている。
【００２８】
作用効果について説明する。図２（Ａ）を参照して、切り取り線シール領域部分８ａが、注出口９の始点Ｓと終点Ｅとを結ぶ直線１５の延長線上に形成されているので、切り取り線シール領域部分８ａでは、その切れていく力の方向は、直線１５に沿う矢印Ｍの方向であり、これに図のように湾曲する方向Ｎの力が加わって、切り取り線非シール領域部分８ｂが切れていく。直線１５に沿う矢印Ｍの方向に切れていく初期の力は強く、これに引きつられて、湾曲部分である切り取り線非シール領域部分８ｂが切れていくので、指つまみ部７を切り取り線８に沿って滑らかに切り取ることができる。切り取り線非シール領域部分８ｂが湾曲形状になっていると、直線形状に比べて、開封後、表面張力が作用する部分の面積が少なくなり、内容物の取出しが容易になる。
【００２９】
内容物の流速（ｇ/ｓ）について説明すると、切り取り線非シール領域部分８ｂがこのように湾曲する注出口付き袋においては、図２（Ｂ）を参照して、一般に、注出口の幅ｘと、湾曲の深さｙ（注出口の始点Ｓと終点Ｅを結ぶ直線１５から上記湾曲する部分の極大点までの距離）のそれぞれが大きい方が、内容物の流速（ｇ/ｓ）は大きくなる。注出口の幅ｘは、注ぎ口の大きさで上限が決められる。実用性を考えると、注出口の幅ｘは２５ｍｍ以下であるのが好ましい。湾曲部分の深さｙは１０ｍｍより大きくなると、切り口のカット性に影響が出る（切り取り線を切り裂く際に袋本体まで中央に向かって切り裂かれてしまう）。内容物の移し替え時の液体の流速（ｇ/ｓ）は、内容物の粘度にもよるが、種々の検討の結果、２０ｇ/ｓ（１秒間に２０ｇ）以上になった場合に、図３に示すように、詰め替え時、注出口９から内容物１１がネジ口容器１０内に速やかに流出する。
【００３０】
以下、実施例を図を用いて説明する。各図中、同一又は相当する部分には同一の参照番号を付し、その説明は繰り返さない。
【実施例】
【００３１】
本実施例では、２０ｇ/ｓ以上の流速を得るための、注出口の幅ｘと湾曲部分の深さｙを詳細に検討した。
（実施例１〜１４、比較例１〜１２）
【００３２】
表１は、注出口の幅ｘと湾曲部分の深さｙを種々変えて、液体の流速（ｇ/ｓ）を求めた結果をまとめたものである。試料には、液体粘度ザーンカップNo．5で、４９．０６（ＣＰＳ）を示す液体を用いた。流速（ｇ/ｓ）が２０ｇ/ｓ以上の場合を良好（◎）と判断し、それ以外をＮＧとした。
【表１】
2018030623.tif 000005
【００３３】
得られたデータを、ｘ−ｙ平面にポイントでプロットしたのが、図４（Ａ）である。黒丸のポイントが良好と判断された場合であり、白丸のポイントがＮＧと判断されたものである。図４（Ｂ）は、良好と判断されたポイント群と、ＮＧと判断されたポイント群との境界線上にある、良好と判断された黒丸の複数のポイントを抜き出し、これらのポイントを折れ線で結び、グラフ（実線）にしたものである。折れ線グラフ（実線）は、マイクロソフト社製エクセルソフトで求められた、下記式１で表される近似曲線（点線）に良く一致することが見出された。
【数１】
2018030623.tif 000006
【００３４】
図４（Ａ）と図４（Ｂ）の結果から、注出口の幅ｘと湾曲部分の深さｙは、上記式（１）のｘ−ｙ平面のグラフ図において、点（ｘ、ｙ）の軌跡の線（点線）を境界線にして、座標の原点（０，０）とは反対側の領域内にある任意の座標点（ｘ，ｙ）の群（斜線で示す部分）から選ばれているとき、流速（ｇ/ｓ）が２０ｇ/ｓ以上の注出口付き袋が得られることが見出された（式（１）の線、すなわち境界線（点線）上のｘ、ｙの値を含む）。
【００３５】
（実施の形態２）
図５は、本発明に係る実用性の高い種々の変形例を示した図である。いずれの場合も、切り取り線シール領域部分８ａを、注出口９の始点Ｓと終点Ｅとを結ぶ直線の延長線上の上に形成しており、かつ切り取り線非シール領域部分８ｂを湾曲形状にしている点、及び、詳細な図示は省略するが、注出口の幅ｘと湾曲部分の深さｙとが上述した関係を有する点は、上記実施の形態１と共通している。しかし、切り取り線非シール領域部分８ｂの湾曲形状の極大点８ｍは、ノズル部３の中心線１２の上にある場合だけでなく、ノズル部３の幅方向の何処の位置にあってもよい。また、切り取り線非シール領域部分８ｂの極大点８ｍは、上記幅方向と直交する線の何処の位置にあってもよい。図５を用いて詳しく説明する。
【００３６】
切り取り線８の、ノズルの基部側に凸となる湾曲形状は、ノズル部の中心線１２に対して左右対称でなくてもよく、図５（Ａ）に示すように、その極大点８ｍが一方の側の偏っていてもよく、図５（Ｃ）に示すように他方の側に偏っていてもよく、図５（Ｂ）に示すように、ノズル部の中心線１２上にあってもよい。
【００３７】
切り取り線８の湾曲形状は、図５（Ａ）、（Ｂ）、（Ｃ）に示すように角が丸みのあるＶ字形状（角の両側が直線）であってもよく、図５（Ｄ）、（Ｅ）、（Ｆ）に示すように滑らかな曲線であってもよい。
【００３８】
（実施の形態３）
図６は、本発明の実施の形態３に係る注出口付き袋の、注出口部分の拡大図である。切り取り線シール領域部分８ａを、注出口９の始点Ｓと終点Ｅとを結ぶ直線１５の延長線上に形成しており、かつ切り取り線非シール領域部分８ｂを湾曲形状にしている点、及び、詳細な図示は省略するが、注出口の幅ｘと湾曲部分の深さｙが上述した関係を有する点は、実施の形態１と共通している。本実施の形態２では、さらに、立体加工線１６が設けられる。立体加工線１６を設けると、詰め替え時に内容物１１で注出口９が閉塞されない効果がさらに高まる。
【００３９】
（実施の形態４）
図７は、本発明のさらなる変形例に係る。切り取り線シール領域部分８ａを、注出口９の始点Ｓと終点Ｅとを結ぶ直線１５の延長線上に形成しないで、すなわち、切り取り線シール領域部分８ａを、切り取り線シール領域部分８ｂの湾曲形状の延長線上、つまり、ノズル部３の先端部に向かって伸びるように形成しても、詳細な図示は省略するが、注出口の幅ｘと湾曲部分の深さｙが実施の形態１で説明した関係を有する場合には、速やかに切り取り線が切れ、かつ、２０ｇ/ｓ以上の流速を示す注出口付き袋が得られる。
【００４０】
得られた詰め替えパウチは、台所用洗剤、お風呂の洗剤、ハンドソープ、ボディソープ、シャンプー、リンス、コンディショナーなどに利用することができる。
【００４１】
上記実施例では注出口付き袋の例として詰め替えパウチを例示したが、この発明はこれに限られるものではない。
【００４２】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４３】
本発明に係る注出口付き袋によれば、速やかに切り取り線が切れ、かつ、速やかに内容物を移し替えることができる。
【符号の説明】
【００４４】
１     注出口付き袋
１ａ、１ｂ    壁面フィルム
２     シール領域
３     ノズル部
４     底面フィルム
５     底面フィルム折り返し部
６     ガゼット
７     指つまみ部
８     切り取り線
８ａ   切り取り線シール領域部分
８ｂ   切り取り線非シール領域部分
８ｍ   極大点
９     注出口
１０   ネジ口容器
１１   内容物
１２   ノズル部の中心線
１３   ノズル部の基部
１５   注出口の始点Ｓと終点Ｅとを結ぶ直線
１６   立体加工線
Ｓ     注出口の始点
Ｅ     注出口の終点
Ｍ，Ｎ 切り取り線が切れる力の方向
【図１】
2018030623.tif 000009
【図２】
2018030623.tif 000010
【図３】
2018030623.tif 000011
【図４】
2018030623.tif 000012
【図５】
2018030623.tif 000013
【図６】
2018030623.tif 000014
【図７】
2018030623.tif 000015
【図８】
2018030623.tif 000016